(57)【要約】  【課題】  繭玉にあまり手を加えずに製造可能で当該繭玉の有する特性を活かした照明具及び当該照明具を利用した電気照明装置を提供すること。  【解決手段】  一部がカットされて開口部１１を有する繭玉１０と、光を射出可能な発光部２１を有する発光ダイオード（ＬＥＤ）２０とを備え、当該発光ダイオード２０の発光部２１が繭玉１０の開口部１１を介してその繭玉内部１２へ挿入して照明具１を構成する。また、照明具１を固定する台３１と、当該照明具１を外部へ光透過可能に被覆するカバー４１とから電気照明装置（電気行灯３０）を構成する。【選択図】      図１
2010080354.tif 000002
【特許請求の範囲】
【請求項１】
一部がカットされて開口部を有する繭玉と、光を射出可能な発光部を有する光源とを備え、当該光源の発光部が前記繭玉の開口部を介してその繭玉内部へ挿入されたことを特徴とする照明具。
【請求項２】
前記発光源が発光ダイオードから成る請求項１記載の照明具。
【請求項３】
前記照明具を固定する台と、当該照明具を外部へ光透過可能に被覆するカバーとから成る電気照明装置。
【請求項４】
前記照明具と前記カバーとの間に半透明状の中間部材を設けたことを特徴とする請求項３記載の電気照明装置。
【請求項５】
所定個数の繭玉を切断加工して複数の花弁を形成し、これらの花弁を光源を中心とした周囲に天然の花のように配設したことを特徴とする電気照明装置。
【発明の詳細な説明】
【技術分野】
【０００１】
本発明は、繭玉を利用した照明具および当該照明具を用いた電気照明装置に関する。
【背景技術】
【０００２】
最近、絹糸の原料となる繭玉を利用した商品が開発されている。例えば、繭玉に含まれるアミノ酸蛋白質（セリシン）に美白美肌効果があることに着目して、当該セリシンを含んだフェイシャルパック（例えば、特許文献１参照）や化粧水（例えば、非特許文献１参照）等の化粧品が市販されている。
【特許文献１】特開平９−３１３２４８号公報
【非特許文献１】http://www.kinumayu.com/
【発明の開示】
【発明が解決しようとする課題】
【０００３】
ところで、上記特許文献１等に係る商品を製造するには、繭玉からセリシンを抽出しなければならず手間がかかる欠点を有する。ここで、繭玉にあまり手を加えずに製造可能な商品が開発できれば、手間がかかる欠点を解消できるとともに繭玉の有するユニークな外観を含めた特性を活かすことができる。
【０００４】
本発明の目的は、上記事情に鑑み、繭玉にあまり手を加えずに製造可能で当該繭玉の有する特性を活かした照明具及び当該照明具を利用した電気照明装置を提供することにある。
【課題を解決するための手段】
【０００５】
請求項１の発明は、一部がカットされて開口部を有する繭玉と、光を射出可能な発光部を有する光源とを備え、当該光源の発光部が前記繭玉の開口部を介してその繭玉内部へ挿入されたことを特徴とする照明具である。
【０００６】
上記請求項１の発明の場合、繭玉は空洞であって光を弱めつつ透過させる特性を有するので、光源の発光部から射出した光は繭玉を介して弱まりつつ外部へ放射される。そのため、人の目には発光部から射出された光が直接入射することなく、柔らかく感ずる光となって入射する。この際、発光部から発した光に多量の紫外線成分が入っていても繭玉がカットする。その結果、繭玉の可愛らしい外観と相俟って、人を癒す効果を奏するとともに、紫外線から人体を保護する効果を奏する。ここで、繭玉は比較的入手しやすく、一部に欠陥があって通常ならば廃棄処分されてしまう繭玉（屑繭）をも使用でき資源の有効活用ができる。また、加工の面からいえば、繭玉の一部をカットして開口部を形成するだけであり、手間があまりかからない。このように、繭玉にあまり手を加えずに製造可能で当該繭玉の有する優れた特性（楕円体状の可愛らしい外観、光透過性を有すること、紫外線を遮断する効果が高いこと等）を活かすことができる。
【０００７】
請求項２の発明は、前記発光源が発光ダイオードから成る請求項１記載の照明具である。
【０００８】
上記請求項２の発明の場合、請求項１の発明と同様な作用・効果を奏するとともに、発光ダイオードは大量生産されており安価で入手しやすいので一段と安価な照明具を提供できる。
【０００９】
請求項３の発明は、前記照明具を固定する台と、当該照明具を外部へ光透過可能に被覆するカバーとから成る電気照明装置である。
【００１０】
上記請求項３の発明の場合、例えば本装置を行灯して使用した場合、点灯すれば照明具からは人の目に柔らかく感ずる光が出るので、近くで安眠している人の邪魔にならない。また、本電気行灯は、見る人を癒す効果を奏するとともに、紫外線から人体を保護する効果を奏する。また、本装置を寝室以外の場所（喫茶店や会議場など）に設置すると、その場の雰囲気を和らげるので、コーヒー等をリラックスした状態で楽しめるとともに、商談なども円滑に行える。
【００１１】
請求項４の発明は、前記照明具と前記カバーとの間に半透明状の中間部材を設けたことを特徴とする電気照明装置である。
【００１２】
上記請求項４の発明の場合、上記請求項３の発明と同様な作用・効果を奏する他、中間部材によって一段と人の目に柔らかく感ずる光を出すことができるので、より一層の癒し効果を奏する。
【００１３】
請求項５の発明は、所定個数の繭玉を切断加工して複数の花弁を形成し、これらの花弁を光源の発光部を中心とした周囲に天然の花のように配設したことを特徴とする電気照明装置である。
【００１４】
上記請求項５の発明の場合、光源の発光部から射出した光は繭玉で形成された花弁を介して弱まりつつ外部へ放射される。そのため、人の目には発光部から射出された光が直接入射することなく、柔らかく感ずる光となって入射するので、人を癒す効果を奏する。また、この際、花弁は明るく光るので、幻想的な雰囲気を醸し出すことができる。
【発明の効果】
【００１５】
請求項１の発明によれば、光源の発光部は繭玉内部へ挿入されているので、当該発光部からは人の目に柔らかく感ずる光を出すことができ、繭玉の可愛らしい外観と相俟って、人を癒す効果を奏するとともに、紫外線から人体を保護する効果を奏する。ここで、繭玉は比較的入手しやすく、一部に欠陥があって通常ならば廃棄処分されてしまう繭玉（屑繭）をも使用できる。また、加工の面からいえば、繭玉の一部をカットして開口部を形成するだけであり、手間があまりかからない。その結果、繭玉にあまり手を加えずに製造可能で当該繭玉の有する優れた特性（楕円体状の可愛らしい外観、光透過性を有すること、紫外線を遮断する効果が高いこと等）を十分に活かすことができる。
【００１６】
請求項２の発明によれば、前記発光源が発光ダイオードから成るので、上記請求項１の発明と同様な効果を奏するとともに、発光ダイオードは大量生産されており安価で入手しやすいので一段と安価な照明具を提供できる。
【００１７】
請求項３の発明によれば、前記照明具を利用した電気照明装置であるので、例えば行灯として利用した場合には点灯すれば照明具からは人の目に柔らかく感ずる光が出るので、近くで安眠している人の邪魔にならない。そして、本電気行灯は、見る人を癒す効果を奏するとともに、紫外線から人体を保護する効果を奏する。また、本装置を寝室以外の場所（喫茶店や会議場など）に設置すると、その場の雰囲気を和らげるので、コーヒー等をリラックスした状態で楽しめるとともに、商談なども円滑に行える。
【００１８】
請求項４の発明によれば、前記照明具と前記カバーとの間に半透明状の中間部材を設けたので、請求項３の発明と同様な効果を奏するとともに、中間部材によって一段と看る人の目に柔らかく感ずる光が出るのでより一層の癒し効果を奏する。
【００１９】
請求項５の発明によれば、繭玉で形成された複数の花弁を光源の発光部を中心とした周囲に天然の花のように配設したので、人を癒す効果を奏するとともに、幻想的な雰囲気を醸し出すことができる。
【発明を実施するための最良の形態】
【００２０】
以下、本発明の実施の形態について図面を参照しながら説明する。
【００２１】
（第１の実施の形態）
【００２２】
本発明に係る照明具１は、図１に示すように、繭玉１０と光源（２０）とから構成されている。
【００２３】
繭玉１０は、カイコが蛹になるときに身体を包む１００％絹の繊維でできた楕円状の球体である。本発明では、この繭玉１０の一部を図３に示すようにカットして蛹を取り出したものを使用する。この実施形態では、繭玉１０の可愛らしい外観を極力残すためにカットする面積を最小としている。蛹が取り出された繭玉１０は、その内部１２が空の状態（すなわち空洞）となっている。このように加工された繭玉１０は、光を弱めつつ透過させるとともに当該光の紫外線成分をカットする性質を有する。
【００２４】
光源は、光を射出する発光部（２１）を有している。この実施形態では、光源は、発光ダイオード（ＬＥＤ）２０から構成されている。この実施形態では、発光ダイオード２０は、多色ＬＥＤから構成している。単色ＬＥＤでもよいことは勿論である。なお、図１〜図３中、２３は発光部２１を有する発光ダイオード本体で、当該本体２３の底部には繭玉１０を支持するための受け部材１５が取り付けられている。受け部材１５は、円形の皿状に形成されており、発光ダイオード２３の底部に固着されている。また、発光ダイオード２０のリード線（図示省略）は絶縁性の保護線２２に被覆されており、当該保護線２２は屈曲等変形可能で変形後にはその姿勢を保持可能に構成されている。
【００２５】
そして、上記発光ダイオード２０の発光部２１は、図２に示すように、繭玉１０の内部１２へ開口部１１を介して挿入されている。この際、繭玉１０は、発光ダイオード２０側の受け部材１５によって支持されることになる。この実施形態では、繭玉１０は受け部材１５上に載置されることになるが、当該繭玉１０を受け部材１５と当接した後に係止するようにしてもよい。なお、仮に繭玉１０内に入れられた光源（２０）が発熱したとしても、繭玉１０は耐熱性を有するので支障は無い。
【００２６】
上記構成の照明具１の場合、発光ダイオード（ＬＥＤ）２０の発光部２１から射出した光は繭玉１０を介して外部へ明るさが弱まった状態で放射される。そのため、人の目には発光部２１から射出された光が直接入射することなく、柔らかく感ずる光となって入射する。この際、発光部２１から発した光の紫外線成分は繭玉１０がカットする。その結果、繭玉１０の可愛らしい外観と相俟って、人を癒す効果を奏するとともに、紫外線から人体を保護する効果を奏する。なお、繭玉１０の外面を形成する繊維組織を解く表面処理を行って毛羽立たせてもよい。このように表面処理すると、上記照明具１から発して人の目に入る光が一層柔らかく感じるものとなる。この際、繭玉１０は朧が掛かったようにぼんやりと光る。
【００２７】
ここで、繭玉（１０）は比較的入手しやすく、一部に欠陥があって通常ならば廃棄処分されてしまう繭玉（屑繭）をも使用できる。したがって、資源の有効利用が図れる。また、加工の面からいえば、繭玉１０の一部をカットして開口部１１を形成するだけであり、手間があまりかからない。このように、繭玉１０にあまり手を加えずに製造可能で当該繭玉１０の有する優れた特性（楕円体状の可愛らしい外観、光透過性を有すること、紫外線を遮断する効果が高いこと等）を活かすことができる。
【００２８】
なお、この実施の形態では、光源を発光ダイオード（ＬＥＤ）２０から構成したが、発光部（２１）が繭玉１０内部に支障なく挿入することができれば、どのような種類の光源でもよい。
【００２９】
（第２の実施の形態）
【００３０】
第２の実施の形態は、本発明に係る電気照明装置を行灯として利用したものである。
【００３１】
電気行灯３０は、図４に示すように、前記照明具１を固定する台３１と、当該照明具１を外部へ光透過可能に被覆するカバー４１とから構成されている。
【００３２】
この実施の形態では、台３１は平面視円形状とされており、木製とされている。また、カバー４１は、台３１に固定された照明具１を保護するためのもので、当該照明具１を外部へ光透過可能に被覆するように形成されている。より具体的には、カバー４１は、図５および図６に示すように、台３１上に載置され木製で円環状のリング状の基材４２と、この基材４２に一定間隔で植設されて各上端部が紐で結わえられた複数本の竹ひごからなる竹ひご集合体４３と、木製で円環状とされかつ基材４２から上方に所定長さだけ離れた竹ひご集合体４３の部位に固定された中間締め付け部材４４とから構成されている。かかる構成のカバー４１は、台３１に固定された照明具１を保護するとともに、当該照明具１から発せられた光を透過する。
【００３３】
なお、図４中、４５はコード、４６は差込プラグである。ここで、本電気行灯３０の図示しない点灯スイッチをオンすると、発光ダイオード２０にコード４５等を介して商用電源が供給されて発光部２１が発光する構成とされている。
【００３４】
上記構成の電気行灯３０の場合、点灯すれば照明具１からは人の目に柔らかく感ずる光が出るので、近くで安眠している人の邪魔にならない。また、本行灯３０を見る人を癒す効果を奏するとともに、有害な紫外線から人体を保護する効果を奏する。
【００３５】
上記電気行灯３０において、照明具１とカバー４１との間に半透明状の中間部材５１を設けてもよい。例えば、図７に示すように、半透明のトレーシングペーパーを略円錐状に形成したものを中間部材５１として用いることができる。このように構成することにより、中間部材５１によって一段と人の目に柔らかく感ずる光が出るので、より一層の癒し効果を奏する。
【００３６】
なお、本照明装置を電気行灯として利用した場合について述べたが、当該装置を寝室以外の場所（喫茶店や会議場など）に設置することもできる。この場合、行灯として利用した場合と同様に、リラックスした雰囲気を醸し出すとともに、商談なども和やかな雰囲気のもとに円滑に行える。
【００３７】
（第３の実施の形態）
【００３８】
第３の実施の形態に係る花状電気照明装置６０は、図８に示すように、所定個数の繭玉を切断加工して複数の花弁６１を形成し、これらの花弁６１を光源である発光ダイオード（ＬＥＤ）２０の発光部２１を中心とした周囲に天然の花のように配設した構成とされている。なお、図８において、６２は茎、６３は葉である。これらの茎６２や葉６３を繭玉を利用して作ってもよい。
【００３９】
上記構成の電気照明装置の場合、発光ダイオード２０の発光部２１から射出した光は花弁６１を介して弱まりつつ外部へ放射される。そのため、人の目には発光部２１から射出された光が直接入射することなく、柔らかく感ずる光となって入射するので、人を癒す効果を奏する。また、この際、花弁６１は明るく光るので、幻想的な雰囲気を醸し出すことができる。
【図面の簡単な説明】
【００４０】
【図１】本発明に係る照明具を説明するための図である。
【図２】繭玉の内部へ発光ダイオードの発光部を挿入する様子を示す図である。
【図３】繭玉を示す断面図である。
【図４】本発明に係る電気行灯を説明するための図である。
【図５】カバーを説明するための図である。
【図６】カバーの台上への配設の仕方を説明するための図である。
【図７】中間部材を説明するための図である。
【図８】花状電気照明装置を説明するための図である。
【符号の説明】
【００４１】
１    照明具
１０    繭玉
１１    開口部
１２    内部
１５    受け部材
２０    発光ダイオード（ＬＥＤ）
２１    発光部
２２    保護線
２３    本体
３０    電気行灯
３１    台
４１    カバー
４２    基材
４３    竹ひご集合体
４４    中間締め付け部材
４５    コード
４６    差込プラグ
５１    中間部材
【図１】
2010080354.tif 000003
【図２】
2010080354.tif 000004
【図３】
2010080354.tif 000005
【図４】
2010080354.tif 000006
【図５】
2010080354.tif 000007
【図６】
2010080354.tif 000008
【図７】
2010080354.tif 000009
【図８】
2010080354.tif 000010